(57)【要約】【課題】任意店舗への来店者数を迅速、かつ正確に把握し、それに応じた適切な優待情報を提供する。【解決手段】本発明の実施の形態における優待情報提供装置１０は、優待情報参照アプリケーションソフトウェアを起動しているスマートデバイス５０を、所定店舗６０の店内で起動している店内起動デバイス５０ａと、店外で起動している店外起動デバイス５０ｂとに識別する、デバイス識別部１１と、店内起動デバイス５０ａ内の優待情報参照アプリケーションソフトウェアを「店舗内モード」に遷移させる、モード遷移部１２と、店内起動デバイス５０ａの数を取得する、店内起動デバイス数取得部１３と、店内起動デバイス５０ａの数に応じた優待情報を決定する、優待情報決定部１４と、「店舗内モード」に遷移させた店内起動デバイス５０ａに、優待情報決定部１４において決定した優待情報を表示させる、優待情報表示部１５とを備える。【選択図】図３
2018165882.tif 000002
【特許請求の範囲】
【請求項１】
優待情報参照アプリケーションソフトウェアを起動しているスマートデバイスを、所定店舗の店内で起動している店内起動デバイスと、店外で起動している店外起動デバイスとに識別する、デバイス識別部と、
前記店内起動デバイスの前記優待情報参照アプリケーションソフトウェアを店舗内モードに遷移させる、モード遷移部と、
前記店内起動デバイスの数を取得する、店内起動デバイス数取得部と、
前記店内起動デバイスの数に応じた優待情報を決定する、優待情報決定部と、
前記店舗内モードに遷移させた店内起動デバイスに、前記優待情報を表示させる、優待情報表示部と
を備える優待情報提供装置。
【請求項２】
前記デバイス識別部が、
店舗内に設置された無線ＬＡＮ機器を介してシステムサーバに接続されたスマートデバイスを、前記店内起動デバイスとする、
請求項１に記載の優待情報提供装置。
【請求項３】
前記優待情報表示部が、
前記店内起動デバイスからの要求に応じて、前記優待情報を表示させる、
請求項１または２に記載の優待情報提供装置。
【請求項４】
前記モード遷移部が、
前記店外起動デバイスの前記優待情報参照アプリケーションソフトウェアを店舗外モードに遷移させ、
前記優待情報表示部が、
前記店舗外モードに遷移させた店外起動デバイスに、任意店舗における優待情報を表示させる、
請求項１から３までのいずれかに記載の優待情報提供装置。
【請求項５】
前記優待情報表示部が、
前記店外起動デバイスからの要求に応じて、前記優待情報を表示させる、
請求項４に記載の優待情報提供装置。
【請求項６】
（１）優待情報参照アプリケーションソフトウェアを起動しているスマートデバイスを、所定店舗の店内で起動している店内起動デバイスと、店外で起動している店外起動デバイスとに識別する、ステップと、
（２）前記店内起動デバイスの前記優待情報参照アプリケーションソフトウェアを店舗内モードに遷移させる、ステップと、
（３）前記店内起動デバイスの数を取得する、ステップと、
（４）前記店内起動デバイスの数に応じた優待情報を決定する、ステップと、
（５）前記店舗内モードに遷移させた店内起動デバイスに、前記優待情報を表示させる、ステップと、
を備える優待情報提供方法。
【請求項７】
前記（１）のステップにおいて、
店舗内に設置された無線ＬＡＮ機器を介してシステムサーバに接続されたスマートデバイスを、前記店内起動デバイスとする、
請求項６に記載の優待情報提供方法。
【請求項８】
コンピュータに、
（１）優待情報参照アプリケーションソフトウェアを起動しているスマートデバイスを、所定店舗の店内で起動している店内起動デバイスと、店外で起動している店外起動デバイスとに識別する、ステップと、
（２）前記店内起動デバイスの前記優待情報参照アプリケーションソフトウェアを店舗内モードに遷移させる、ステップと、
（３）前記店内起動デバイスの数を取得する、ステップと、
（４）前記店内起動デバイスの数に応じた優待情報を決定する、ステップと、
（５）前記店舗内モードに遷移させた店内起動デバイスに、前記優待情報を表示させる、ステップと、
を実行させる、プログラム。
【請求項９】
前記（１）のステップにおいて、
店舗内に設置された無線ＬＡＮ機器を介してシステムサーバに接続されたスマートデバイスを、前記店内起動デバイスとする、
請求項８に記載のプログラム。
【発明の詳細な説明】
【技術分野】
【０００１】
本発明は、来店者数に応じた優待情報を提供する、優待情報提供装置、優待情報提供方法、及びプログラムに関する。
【背景技術】
【０００２】
特許文献１には、ビーコンを用いてシステム利用者が来店した際に自動的に来店時間や利用者情報を取得する技術が開示されている。特許文献２には、利用者に対してクーポンや会員ポイントを付与するサービスおよびシステムが開示されている。しかし、来店者数などに応じた臨機応変な割引クーポンや、セールを自動的に提供する仕組みではない。
【０００３】
特許文献３および４には、来店者数などに応じた優待情報を提供する方法が開示されている。
【先行技術文献】
【特許文献】
【０００４】
【特許文献１】特開２０１５−１７１４８７号公報
【特許文献２】特開２０１６−１４６１４０号公報
【特許文献３】特開２００２−２５１５５４号公報
【特許文献４】特開２０１６−１２６６５４号公報
【発明の概要】
【発明が解決しようとする課題】
【０００５】
特許文献３に記載の方法は、ユーザによる店舗識別コードの入力によって集客数カウント値を更新しており、来店者数の算出に時間が掛かり、正確な来店者数を把握できない。
【０００６】
特許文献４は、カメラ画像により、混雑状況（来店者数）を把握するものであり、カメラの死角部分の人数把握が困難であるため、正確な来店者数を把握できない。
【０００７】
本発明は、上記の従来技術の問題を解決するためになされたものであり、任意店舗への来店者数を迅速、かつ正確に把握することができ、それに応じた優待情報の提供が可能な、優待情報提供装置、優待情報提供方法、及びプログラムを提供することを目的とする。
【課題を解決するための手段】
【０００８】
上記目的を達成するため、本発明の一側面における優待情報提供装置は、
優待情報参照アプリケーションソフトウェアを起動しているスマートデバイスを、所定店舗の店内で起動している店内起動デバイスと、店外で起動している店外起動デバイスとに識別する、デバイス識別部と、
前記店内起動デバイスの前記優待情報参照アプリケーションソフトウェアを店舗内モードに遷移させる、モード遷移部と、
前記店内起動デバイスの数を取得する、店内起動デバイス数取得部と、
前記店内起動デバイスの数に応じた優待情報を決定する、優待情報決定部と、
前記店舗内モードに遷移させた店内起動デバイスに、前記優待情報を表示させる、優待情報表示部と
を備える。
【０００９】
また、上記目的を達成するため、本発明の一側面における優待情報提供方法は、
（１）優待情報参照アプリケーションソフトウェアを起動しているスマートデバイスのうち少なくとも店舗内にあるスマートデバイスを店内起動デバイスとして、前記店内起動デバイスの数を取得する、ステップと、
（２）前記店内起動デバイスの数に応じた優待情報を決定する、ステップと、
（３）前記店内起動デバイスの前記優待情報参照アプリケーションソフトウェアを店舗内モードに遷移させる、ステップと、
（４）前記店舗内モードに遷移させた店内起動デバイスに、前記優待情報を表示させる、優待ステップと
を備える。
【００１０】
更に、上記目的を達成するため、本発明の一側面におけるプログラムは、
コンピュータに、
（１）優待情報参照アプリケーションソフトウェアを起動しているスマートデバイスのうち少なくとも店舗内にあるスマートデバイスを店内起動デバイスとして、前記店内起動デバイスの数を取得する、ステップと、
（２）前記店内起動デバイスの数に応じた優待情報を決定する、ステップと、
（３）前記店内起動デバイスの前記優待情報参照アプリケーションソフトウェアを店舗内モードに遷移させる、ステップと、
（４）前記店舗内モードに遷移させた店内起動デバイスに、前記優待情報を表示させる、優待ステップと
を実行させる。
【発明の効果】
【００１１】
本発明によれば、任意店舗への来店者数を迅速、かつ正確に把握することができ、それに応じた適切な優待情報の提供が可能となる。
【図面の簡単な説明】
【００１２】
【図１】図１は、本発明の実施の形態における優待情報提供装置を内蔵するシステムサーバの概略構成を示すブロック図である。
【図２】図２は、店舗毎の情報の例を示す図である。
【図３】図３は、本発明の実施の形態における優待情報提供装置の概略構成を示すブロック図である。
【図４】図４は、本発明の実施の形態における優待情報提供装置１０の動作を示すシーケンス図である。
【図５】図５は、本発明の実施の形態における優待情報提供装置１０の優待情報決定部１４の動作を示すフロー図である。
【図６】図６は、本発明の実施の形態における優待情報提供装置を実現するコンピュータの一例を示すブロック図である。
【発明を実施するための形態】
【００１３】
（実施の形態）
以下、本発明の実施の形態における、優待情報提供装置、優待情報提供方法、及びプログラムについて、図１〜図６を参照しながら説明する。
【００１４】
［装置構成］
最初に、本発明の実施の形態における優待情報提供装置の概略構成について図１〜図３を用いて説明する。図１は、本発明の実施の形態における優待情報提供装置を内蔵するシステムサーバの概略構成を示すブロック図である。図２は、店舗毎の情報の例を示す図である。また、図３は、本発明の実施の形態における優待情報提供装置の概略構成を示すブロック図である。
【００１５】
図１に示すように、本発明の実施の形態における優待情報提供装置１０は、システムサーバ１に内蔵されている。システムサーバ１は、ウェブサーバを備えたクライアントコンピュータであり、通信部３によって、無線ＬＡＮ機器６１を介したインターネット、携帯電話通信網などの通信網により利用者が使用するスマートデバイス５０に接続される。
【００１６】
スマートデバイス５０は、無線ＬＡＮ機器との通信手段を備えたクライアントコンピュータである。例えば、スマートフォン、タブレット端末、タブレットＰＣ等である。また、スマートデバイス１上には、ソフトウェアとしてシステムサーバ１への接続および割引クーポンなどの優待情報の表示を行うためのアプリケーションソフトウェア（優待情報参照アプリケーションソフトウェア）を有している。
【００１７】
図２に示すように、システムサーバ１の記憶部２には、店舗毎の情報が格納されている。店舗毎の情報としては、例えば、店舗名、店舗に設置された無線ＬＡＮ機器のＭＡＣアドレス、現在の来店者数、優待情報（割引クーポンなどの情報）などである。優待情報は、１つに限らず、来店者数に応じた複数の優待情報が含まれる。例えば、「クーポン１」は来店者数が１０人以下であれば「１０％割引」、「クーポン２」は、来店者数が１０人を超え５０人以下なら「５％割引」などの、予め設定した優待情報である。また、来店者数は利用者ごとに一意に与えられる利用者識別子を用いて重複が無いように集計される。
【００１８】
そして、図３に示すように、本発明の実施の形態における優待情報提供装置１０は、デバイス識別部１１と、モード遷移部１２と、店内起動デバイス数取得部１３と、優待情報決定部１４と、優待情報表示部１５とを備える。
【００１９】
デバイス識別部１１は、図３に示すように、優待情報参照アプリケーションソフトウェアを起動しているスマートデバイス５０を、所定店舗６０の店内で起動している店内起動デバイス５０ａと、店外で起動している店外起動デバイス５０ｂとに識別する。このとき、優待情報参照アプリケーションソフトウェアを起動しているスマートデバイス５０が、システムサーバ１に接続したときの経路により、店内なのか、店外なのかを識別する。具体的には、優待情報参照アプリケーションソフトウェアを起動しているスマートデバイス５０がシステムサーバ１に接続したときに、記憶部２内に記憶された店舗毎の情報に基づき、所定店舗６０内に設置された無線ＬＡＮ機器６１のＭＡＣアドレスがある場合には、店内起動デバイス５０ａとする。また、優待情報参照アプリケーションソフトウェアを起動しているスマートデバイス５０のうち、店内起動デバイス５０ａ外のデバイスを店外起動デバイス５０ｂとする。
【００２０】
モード遷移部１２は、店内起動デバイス５０ａ内の優待情報参照アプリケーションソフトウェアを「店舗内モード」に遷移させる。また、モード遷移部１２は、店外起動デバイス５０ｂ内の優待情報参照アプリケーションソフトウェアを「店舗外モード」に遷移させる。「店舗内モード」は、店内起動デバイス５０ａを所有している利用者に対して店舗内用のサービス（来店中の店舗の優待情報の表示）を提供するモードであり、「店舗外モード」は、店外起動デバイス５０ｂを所有している利用者に対して店舗外用のサービス（例えば、任意店舗または近隣店舗の優待情報の検索サービスなど）を提供するモードである。
【００２１】
店内起動デバイス数取得部１３は、店内起動デバイス５０ａの数を取得する。具体的には、記憶部２内に記憶された店舗毎の情報に基づき、所定店舗６０内に設置された無線ＬＡＮ機器６１のＭＡＣアドレスにアクセスしたデバイスの数に基づいて、店内起動デバイス５０ａの数を取得し、システムサーバ１の記憶部２内の店舗毎の情報の「来店者数」に入力する。
【００２２】
優待情報決定部１４は、店内起動デバイス５０ａの数に応じた優待情報を決定する。具体的には、記憶部２内に記憶された店舗毎の情報に基づき、店内起動デバイス５０ａの所有者が入店中の店における来店者数に基づいた優待情報（割引クーポンなど）を決定する。例えば、図２に示すように、店舗Ａにおいては、「クーポン１」は来店者数が１０人以下であれば「１０％割引」、「クーポン２」は、来店者数が１０人を超え５０人以下なら「５％割引」、店舗Ｂにおいては、「クーポン１」は来店者数が２０人以下であれば「８％割引」、「クーポン２」は、来店者数が２０人を超え１００人以下なら「３％割引」という形で予め設定した店舗毎の優待情報の中から、所定時点での店内起動デバイス５０ａの数に応じた優待情報を決定する。
【００２３】
優待情報表示部１５は、「店舗内モード」に遷移させた店内起動デバイス５０ａに、優待情報決定部１４において決定した優待情報を表示させる。例えば、店内起動デバイス５０ａに、割引クーポンに関する２次元コード（ＱＲコード（登録商標））などの優待情報を送信し、表示させる。このとき、店内起動デバイス５０ａからの要求に応じて、すなわち、店内起動デバイス５０ａの所有者が優待情報ボタンを押すなどして優待情報を要求した場合に、その優待情報を表示させてもよいし、「店舗内モード」に遷移させた店内起動デバイス５０ａに対して自動的に優待情報を表示させてもよい。
【００２４】
優待情報表示部１５は、店舗外モードに遷移させた店外起動デバイス５０ｂに対して、任意の店舗６０における優待情報を表示させることもできる。例えば、店外起動デバイス５０ｂに、現在設定されているクーポンの割引率などの優待情報を送信し、表示させる。このとき、店外起動デバイス５０ｂからの要求に応じて、すなわち、店外起動デバイス５０ｂの所有者が所定の店舗６０、所有者に近い場所にある店舗の優待情報ボタンを押すなどして優待情報を要求した場合に、その優待情報を表示させてもよいし、「店舗外モード」に遷移させた店外起動デバイス５０ｂに対して、ＧＰＳ情報に基づいて店外起動デバイス５０ｂの近くにある店舗における優待情報を自動的に表示させてもよい。この店外起動デバイス５０ｂの所有者が店舗６０に来店し、「店舗内モード」に遷移されると、割引クーポンに関する２次元コードなどの優待情報を送信し、表示させてもよい。
【００２５】
［装置動作］
次に、本発明の実施の形態における優待情報提供装置１０の動作について図４および図５を用いて説明する。図４は、本発明の実施の形態における優待情報提供装置１０の動作を示すシーケンス図である。図５は、本発明の実施の形態における優待情報提供装置１０の優待情報決定部１４の動作を示すフロー図である。以下の説明においては、適宜図１〜図３を参酌する。また、本実施の形態では、優待情報提供装置１０を動作させることによって、優待情報提供方法が実施される。よって、本実施の形態における優待情報提供方法の説明は、以下の優待情報提供装置１０の動作説明に代える。
【００２６】
図４に示すように、デバイス識別部１１は、優待情報参照アプリケーションソフトウェアを起動しているスマートデバイス５０を、所定店舗６０の店内で起動している店内起動デバイス５０ａと、店外で起動している店外起動デバイス５０ｂとに識別する（ステップＳ１）。このとき、ユーザが所持するスマートデバイス５０の優待情報参照アプリケーションソフトウェアを店舗内で起動させたとき、または、店舗外で優待情報参照アプリケーションソフトウェアを起動しているスマートデバイス５０ａを店舗内に持ち込んだとき（ステップＡ１）には、デバイス識別部１１は、所定店舗６０の店内で起動している店内起動デバイス５０ａとして識別する。一方、ユーザが所持するスマートデバイス５０の優待情報参照アプリケーションソフトウェアを店舗外で起動させたとき、または、店舗内で優待情報参照アプリケーションソフトウェアを起動しているスマートデバイス５０ａを店舗外に持ち出したとき（ステップＢ１）には、所定店舗６０の店外で起動している店外起動デバイス５０ｂとして識別する。
【００２７】
このとき、優待情報参照アプリケーションソフトウェアを起動しているスマートデバイス５０が、システムサーバ１に接続したときの経路により、店内なのか、店外なのかを識別する。具体的には、優待情報参照アプリケーションソフトウェアを起動しているスマートデバイス５０がシステムサーバ１に接続したときに、記憶部２内に記憶された店舗毎の情報に基づき、所定店舗６０内に設置された無線ＬＡＮ機器６１のＭＡＣアドレスがある場合には、店内起動デバイス５０ａとする。また、優待情報参照アプリケーションソフトウェアを起動しているスマートデバイス５０のうち、店内起動デバイス５０ａ外のデバイスを店外起動デバイス５０ｂとする。
【００２８】
次に、モード遷移部１２は、店内起動デバイス５０ａ内の優待情報参照アプリケーションソフトウェアを「店舗内モード」に遷移させ、店外起動デバイス５０ｂ内の優待情報参照アプリケーションソフトウェアを「店舗外モード」に遷移させる（ステップＳ２）。「店舗内モード」は、店内起動デバイス５０ａを所有している利用者に対して店舗内用のサービス（来店中の店舗の優待情報の表示）を提供するモードであり、「店舗外モード」は、店外起動デバイス５０ｂを所有している利用者に対して店舗外用のサービス（例えば、任意店舗または近隣店舗の優待情報の検索サービスなど）を提供するモードである。
【００２９】
次に、店内起動デバイス数取得部１３は、店内起動デバイス５０ａの数を取得する（ステップＳ３）。具体的には、記憶部２内に記憶された店舗毎の情報に基づき、所定店舗６０内に設置された無線ＬＡＮ機器６１のＭＡＣアドレスにアクセスしたデバイスの数に基づいて、店内起動デバイス５０ａの数を取得し、システムサーバ１の記憶部２内の店舗毎の情報の「来店者数」に入力する。
【００３０】
次に、優待情報決定部１４は、店内起動デバイス５０ａの数に応じた優待情報を決定する（ステップＳ４）。具体的には、記憶部２内に記憶された店舗毎の情報に基づき、店内起動デバイス５０ａの所有者が入店中の店における来店者数に基づいた優待情報（割引クーポンなど）を決定する。例えば、図５に示すように、任意の店舗における来店数Ｎに応じて、来店者数Ｎが１０人以下の場合には「１０％割引」、来店者数Ｎが１０人を超え５０人以下の場合には「５％割引」、来店者数Ｎが５０人を超える場合には「３％割引」と予め設定した店舗においては、店内起動デバイス数取得部１３が取得した店内起動デバイス５０ａの数を来店者数Ｎとして、所定時点での優待情報を決定する。優待情報については、発行数の上限を決めてもよい。
【００３１】
次に、優待情報表示部１５は、「店舗内モード」に遷移させた店内起動デバイス５０ａに、優待情報決定部１４において決定した優待情報を表示させる（ステップＳ５）。例えば、店内起動デバイス５０ａに、割引クーポンに関する２次元コードなどの優待情報を送信し、表示させる。このとき、店内起動デバイス５０ａからの要求に応じて、すなわち、店内起動デバイス５０ａの所有者が優待情報ボタンを押すなどして優待情報を要求した場合（ステップＡ２）に限り、対応する優待情報を決定し、その優待情報を表示させてもよいし、「店舗内モード」に遷移させた店内起動デバイス５０ａに対して自動的に優待情報を表示させてもよい。
【００３２】
優待情報表示部１５は、店舗外モードに遷移させた店外起動デバイス５０ｂに対して、任意の店舗６０における優待情報を表示させることもできる（ステップＳ５）。例えば、店外起動デバイス５０ｂに、現在設定されているクーポンの割引率などの優待情報を送信し、表示させる。このとき、店外起動デバイス５０ｂからの要求に応じて、すなわち、店外起動デバイス５０ｂの所有者が所定の店舗６０、所有者の近くにある店舗の優待情報ボタンを押すなどして優待情報を要求した場合（ステップＢ２）に限り、対応する優待情報を決定し、表示させてもよいし、「店舗外モード」に遷移させた店外起動デバイス５０ｂに対して、ＧＰＳ情報に基づいて店外起動デバイス５０ｂの近くにある店舗における優待情報を自動的に表示させてもよい。
【００３３】
［実施の形態の効果］
本発明の実施の形態における優待情報提供装置１０によれば、所定の店舗６０内に存在するスマートデバイスの数のよって来客者数を把握するので、その店舗への来客者数を迅速、かつ正確に把握することができ、それに応じた適切な優待情報の提供が可能となる。よって、店舗運営者にとって、刻々と変化する来店者数に応じた優待情報の設定が容易になる。特に、店舗内にあるスマートデバイスに対しては、優待情報に関する２次元コード、バーコードなどを表示させれば、店舗側がＰＯＳ端末などを用いて容易に割引情報を適用することができる。一方、店舗外にあるスマートデバイスに対して任意店舗における優待情報を表示させる場合には、ユーザは、その店舗において現在設定されているクーポンの割引率など、最新の優待情報を知ることができる。また、それによりユーザの購買意欲を向上させるので、来店者数の増加に寄与する。
【００３４】
本発明の実施の形態における優待情報提供装置１０は、アパレルショップなどの店舗において、来客者数に応じた優待情報を提供する場合のほか、例えば、遊園地などのレジャー施設において、入場者数に応じた電子的な特典（例えば、キャラクターグッツの引換券、無料ドリンク券など）を提供する場合にも用いることができる。
【００３５】
［プログラム］
本発明の実施の形態におけるプログラムは、コンピュータに、図４および図５に示すステップＳ１〜Ｓ５を実行させるプログラムであれば良い。このプログラムをコンピュータにインストールし、実行することによって、本実施の形態における優待情報提供装置と優待情報提供方法とを実現することができる。この場合、コンピュータのＣＰＵ（Central Processing Unit）は、デバイス識別部１１、モード遷移部１２、店内起動デバイス数取得部１３、優待情報決定部１４、及び優待情報表示部１５として機能し、処理を行なう。
【００３６】
また、本実施の形態におけるプログラムは、複数のコンピュータによって構築されたコンピュータシステムによって実行されても良い。この場合は、例えば、各コンピュータが、それぞれ、デバイス識別部１１、モード遷移部１２、店内起動デバイス数取得部１３、優待情報決定部１４、及び優待情報表示部１５のいずれかとして機能しても良い。
【００３７】
ここで、実施の形態におけるプログラムを実行することによって、優待情報提供装置１０を実現するコンピュータについて図６を用いて説明する。図６は、本発明の実施の形態における優待情報提供装置１０を実現するコンピュータの一例を示すブロック図である。
【００３８】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００３９】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００４０】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００４１】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００４２】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００４３】
なお、本実施の形態における優待情報提供装置１０は、プログラムがインストールされたコンピュータではなく、各部に対応したハードウェアを用いることによっても実現可能である。更に、優待情報提供装置１０は、一部がプログラムで実現され、残りの部分がハードウェアで実現されていてもよい。
【００４４】
上述した実施の形態の一部又は全部は、以下に記載する（付記１）〜（付記１５）によって表現することができるが、以下の記載に限定されるものではない。
【００４５】
（付記１）
優待情報参照アプリケーションソフトウェアを起動しているスマートデバイスを、所定店舗の店内で起動している店内起動デバイスと、店外で起動している店外起動デバイスとに識別する、デバイス識別部と、
前記店内起動デバイスの前記優待情報参照アプリケーションソフトウェアを店舗内モードに遷移させる、モード遷移部と、
前記店内起動デバイスの数を取得する、店内起動デバイス数取得部と、
前記店内起動デバイスの数に応じた優待情報を決定する、優待情報決定部と、
前記店舗内モードに遷移させた店内起動デバイスに、前記優待情報を表示させる、優待情報表示部と
を備える優待情報提供装置。
【００４６】
（付記２）
前記デバイス識別部が、
店舗内に設置された無線ＬＡＮ機器を介してシステムサーバに接続されたスマートデバイスを、前記店内起動デバイスとする、
付記１に記載の優待情報提供装置。
【００４７】
（付記３）
前記優待情報表示部が、
前記店内起動デバイスからの要求に応じて、前記優待情報を表示させる、
付記１または２に記載の優待情報提供装置。
【００４８】
（付記４）
前記モード遷移部が、
前記店外起動デバイスの前記優待情報参照アプリケーションソフトウェアを店舗外モードに遷移させ、
前記優待情報表示部が、
前記店舗外モードに遷移させた店外起動デバイスに、任意店舗における優待情報を表示させる、
付記１から３までのいずれかに記載の優待情報提供装置。
【００４９】
（付記５）
前記優待情報表示部が、
前記店外起動デバイスからの要求に応じて、前記優待情報を表示させる、
付記４に記載の優待情報提供装置。
（付記６）
（１）優待情報参照アプリケーションソフトウェアを起動しているスマートデバイスを、所定店舗の店内で起動している店内起動デバイスと、店外で起動している店外起動デバイスとに識別する、ステップと、
（２）前記店内起動デバイスの前記優待情報参照アプリケーションソフトウェアを店舗内モードに遷移させる、ステップと、
（３）前記店内起動デバイスの数を取得する、ステップと、
（４）前記店内起動デバイスの数に応じた優待情報を決定する、ステップと、
（５）前記店舗内モードに遷移させた店内起動デバイスに、前記優待情報を表示させる、ステップと、
を備える優待情報提供方法。
【００５０】
（付記７）
前記（１）のステップにおいて、
店舗内に設置された無線ＬＡＮ機器を介してシステムサーバに接続されたスマートデバイスを、前記店内起動デバイスとする、
付記６に記載の優待情報提供方法。
【００５１】
（付記８）
前記（５）のステップにおいて、
前記店内起動デバイスからの要求に応じて、前記優待情報を表示させる、
付記６または７に記載の優待情報提供方法。
【００５２】
（付記９）
前記（２）のステップにおいて、
前記店外起動デバイスの前記優待情報参照アプリケーションソフトウェアを店舗外モードに遷移させ、
前記（５）のステップにおいて、
前記店舗外モードに遷移させた店外起動デバイスに、任意店舗における優待情報を表示させる、
付記６から８までのいずれかに記載の優待情報提供方法。
【００５３】
（付記１０）
前記（５）のステップにおいて、
前記店外起動デバイスからの要求に応じて、前記優待情報を表示させる、
付記９に記載の優待情報提供方法。
【００５４】
（付記１１）
コンピュータに、
（１）優待情報参照アプリケーションソフトウェアを起動しているスマートデバイスを、所定店舗の店内で起動している店内起動デバイスと、店外で起動している店外起動デバイスとに識別する、ステップと、
（２）前記店内起動デバイスの前記優待情報参照アプリケーションソフトウェアを店舗内モードに遷移させる、ステップと、
（３）前記店内起動デバイスの数を取得する、ステップと、
（４）前記店内起動デバイスの数に応じた優待情報を決定する、ステップと、
（５）前記店舗内モードに遷移させた店内起動デバイスに、前記優待情報を表示させる、ステップと、
を実行させる、プログラム。
【００５５】
（付記１２）
前記（１）のステップにおいて、
店舗内に設置された無線ＬＡＮ機器を介してシステムサーバに接続されたスマートデバイスを、前記店内起動デバイスとする、
付記１１に記載のプログラム。
【００５６】
（付記１３）
前記（５）のステップにおいて、
前記店内起動デバイスからの要求に応じて、前記優待情報を表示させる、
付記１１または１２に記載のプログラム。
【００５７】
（付記１４）
前記（２）のステップにおいて、
前記店外起動デバイスの前記優待情報参照アプリケーションソフトウェアを店舗外モードに遷移させ、
前記（５）のステップにおいて、
前記店舗外モードに遷移させた店外起動デバイスに、任意店舗における優待情報を表示させる、
付記１１から１３までのいずれかに記載のプログラム。
【００５８】
（付記１５）
前記（５）のステップにおいて、
前記店外起動デバイスからの要求に応じて、前記優待情報を表示させる、
付記１４に記載のプログラム。
【符号の説明】
【００５９】
１      システムサーバ
２      記憶部
３      通信部
１０    本実施の形態における優待情報提供装置
１１    デバイス識別部
１２    モード遷移部
１３    店内起動デバイス数取得部
１４    優待情報決定部
１５    優待情報表示部
５０    スマートデバイス
５０ａ  店内起動デバイス
５０ｂ  店外起動デバイス
６０    所定店舗
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018165882.tif 000003
【図２】
2018165882.tif 000004
【図３】
2018165882.tif 000005
【図４】
2018165882.tif 000006
【図５】
2018165882.tif 000007
【図６】
2018165882.tif 000008